【手続補正書】
【提出日】平成20年9月26日(2008.9.26)
【手続補正１】
【補正対象書類名】明細書
【補正対象項目名】特許請求の範囲
【補正方法】変更
【補正の内容】
【特許請求の範囲】
【請求項１】  無線通信システムの基地局からブロードキャスト・チャネルでブロードキャスト・バーストを送信するステップと、
ユーザ端末から要求バーストを受け取るステップと、
前記要求バーストを送ったユーザ端末に前記基地局からメッセージ・バーストを送信するステップと、
から構成され、前記メッセージ・バーストは複数のユーザ端末からメッセージを受け取るための無線通信システム上で利用可能なチャネルの記述を含むことを特徴とする方法。
【請求項２】  前記利用可能なチャネルの記述は、前記無線通信システムのトラフィック・チャネルの識別を含むことを特徴とする請求項１に記載の方法。
【請求項３】  前記利用可能なチャネルの記述は、前記無線通信システムのランダム・アクセス・チャネルの識別を含むことを特徴とする請求項１に記載の方法。
【請求項４】  前記メッセージ・バーストは、さらなる送信で前記ユーザ端末が使用する送信電力レベルの表示をさらに含むことを特徴とする請求項１に記載の方法。
【請求項５】  前記要求バーストは、前記ユーザ端末が前記要求バーストを送信するために使用する電力の表示をさらに含み、そのユーザ端末が使用する送信電力の表示が要求中の表示に基づいていることを特徴とする請求項４に記載の方法。
【請求項６】  前記要求は前記ユーザ端末の識別を含むことを特徴とする請求項１に記載の方法。
【請求項７】  構成メッセージは、さらなる送信で前記ユーザ端末が使用するタイミング調整の表示をさらに含むことを特徴とする請求項１に記載の方法。
【請求項８】  前記ブロードキャスト・バーストは特定の送信時間を有し、前記要求バーストは前記ブロードキャスト・メッセージと特定のタイミング関係とともに受け取られ、前記方法は、前記要求バーストが向けられる基地局を決定するために前記タイミング関係を使用するステップをさらに有することを特徴とする請求項１に記載の方法。
【請求項９】  前記メッセージ・バーストは、前記要求バーストとの特定のタイミング関係とともに送られ、前記方法は前記要求バーストを送ってきたユーザ端末にメッセージ・バーストを向けるように前記タイミング関係を使用するステップをさらに有することを特徴とする請求項１に記載の方法。
【請求項１０】  前記ブロードキャスト・バーストは、送信している前記基地局を識別するためのコードをさらに有し、前記要求バーストを受け取るステップは基地局識別コードから前記要求バーストを逆多重化するステップを有することを特徴とする請求項１に記載の方法。
【請求項１１】  送信している基地局を識別するためのコードは、ある１つの基地局のカラー・コードを含むことを特徴とする請求項１０に記載の方法。
【請求項１２】  前記ブロードキャスト・バーストは前記ブロードキャスト・バーストを送信するために使用する電力に関連する電力シーケンスを含むことを特徴とする請求項１に記載の方法。
【請求項１３】  前記ブロードキャスト・バーストは前記基地局の現在のトラフィック負荷に関連する負荷シーケンスを含むことを特徴とする請求項１に記載の方法。
【請求項１４】  前記要求バーストが送られてきた空間方向を分析するステップをさらに有し、前記メッセージ・バーストを送信するステップは、その空間方向の分析に基づいて前記メッセージ・バーストを前記ユーザ端末の方向に空間的に向けて送信するステップを有することを特徴とする請求項１に記載の方法。
【請求項１５】  前記空間方向を分析するステップは、前記受け取ったメッセージ・バーストから到着パラメータの方向を決定するステップを有することを特徴とする請求項１４に記載の方法。
【請求項１６】  ブロードキャスト・チャネルでブロードキャスト・バーストを送信する無線通信システムの基地局の送信機と、
ユーザ端末から要求バーストを受け取る基地局の受信機と、
前記要求バーストを送ったユーザ端末に送信するために、ユーザ端末からメッセージを受け取るための無線通信システム上で利用可能なチャネルの記述を含むメッセージ・バーストを組み立てるための基地局のプロセッサと、
から構成されることを特徴とする装置。
【請求項１７】  前記利用可能なチャネルの記述は前記無線通信システムのトラフィック・チャネルの識別を含むことを特徴とする請求項１６に記載の装置。
【請求項１８】  前記利用可能なチャネルの記述は、前記無線通信システムのランダム・アクセス・チャネルの識別を含むことを特徴とする請求項１６に記載の装置。
【請求項１９】  前記要求バーストに前記ユーザ端末は前記要求バーストを送信するために使用する電力の表示をさらに含み、前記メッセージ・バーストは要求中の表示に基づいて、前記ユーザ端末が使用できる送信電力の表示を含むことを特徴とする請求項１６に記載の装置。
【請求項２０】  前記ブロードキャスト・バーストは特定の送信時間を有し、前記要求バーストがブロードキャスト・メッセージとの特定のタイミング関係とともに受け取られ、前記プロセッサは前記特定のタイミング関係を使って前記要求バーストが向けられる基地局を決定することを特徴とする請求項１６に記載の装置。
【請求項２１】  前記メッセージ・バーストは、前記要求バーストを送ってきたユーザ端末にメッセージ・バーストを向けるため、前記要求バーストとの特定のタイミング関係とともに送られることを特徴とする請求項１６に記載の装置。
【請求項２２】  前記ブロードキャスト・バーストは前記基地局の現在のトラフィック負荷に関連する負荷シーケンスを含むことを特徴とする請求項１６に記載の装置。
【請求項２３】  前記要求バーストを受け取った空間方向を分析するための、また、その空間方向の分析に基づき、前記メッセージ・バーストを前記ユーザ端末の方向に空間的に向けて送信するための空間プロセッサをさらに有することを特徴とする請求項１６に記載の装置。
【請求項２４】  無線通信システムの基地局からブロードキャスト・チャネルでブロードキャスト・バーストを送信する手段と、
ユーザ端末から要求バーストを受け取る手段と、
要求バーストを送ってきたユーザ端末に、ユーザ端末からメッセージを受け取るための、無線通信システム上で利用可能なチャネルの記述を含むメッセージ・バーストを基地局から送信する手段と
から構成されることを特徴とする装置。
【請求項２５】  前記利用可能なチャネルの記述は前記無線通信システムのトラフィック・チャネルの識別を含むことを特徴とする請求項２４に記載の装置。
【請求項２６】  前記利用可能なチャネルの記述は前記無線通信システムのランダム・アクセス・チャネルの識別を含むことを特徴とする請求項２４に記載の装置。
【請求項２７】  前記メッセージ・バーストはさらなる送信で前記ユーザ端末が使用する送信電力レベルの表示をさらに含むことを特徴とする請求項２４に記載の装置。
【請求項２８】  前記メッセージ・バーストはさらなる送信で前記ユーザ端末が使用するタイミング調整の表示をさらに含むことを特徴とする請求項２４に記載の装置。
【請求項２９】  前記ブロードキャスト・バーストは特定の送信時間を有し、前記要求バーストは前記ブロードキャスト・メッセージと特定のタイミング関係とともに受け取られ、前記装置はそのタイミング関係を使って、要求バーストが向けられる基地局を決定するための手段をさらに有することを特徴とする請求項２４に記載の装置。
【請求項３０】  前記メッセージ・バーストは前記要求バーストと特定のタイミング関係とともに送信され、前記装置はそのタイミング関係を使って、前記要求バーストを送ってきたユーザ端末に前記メッセージ・バーストを向けるための手段をさらに有することを特徴とする請求項２４に記載の装置。
【請求項３１】  前記ブロードキャスト・バーストは、前記基地局の現在のトラフィック負荷に関連する負荷シーケンスを含むことを特徴とする請求項２４に記載の装置。
【請求項３２】  無線ネットワーク上でアクセスを要求する装置であって、
少なくとも１つの基地局から、ブロードキャスト・チャネルで複数のタイミング・シーケンスを受け取る手段と、
受け取った前記タイミング・シーケンスを使ってネットワーク・タイミングを決定する手段と、
前記ネットワーク・タイミングを使って、ネットワーク・アクセス要求の送信時間を決定する手段と、
決定した時間に前記ネットワーク・アクセス要求を送信する手段と、
前記無線ネットワーク上で利用可能なチャネルの記述を含むメッセージ・バーストを基地局から受け取る手段と、
から構成されることを特徴とする装置。
【請求項３３】  前記利用可能なチャネルの記述は前記無線通信システムのトラフィック・チャネルの識別を含むことを特徴とする請求項３２に記載の装置。
【請求項３４】  前記利用可能なチャネルの記述は前記無線通信システムのランダム・アクセス・チャネルの識別を含むことを特徴とする請求項３２に記載の装置。
【請求項３５】  前記メッセージ・バーストはさらなる送信で前記ユーザ端末が使用する送信電力レベルの表示をさらに含むことを特徴とする請求項３２に記載の装置。
【請求項３６】  前記要求を送信するための手段は、複数の異なる基地局のうち選択した１つに、その選択した基地局から前記タイミング・シーケンスを受け取った時間と特定の関係を有する時間に要求を送信することによって、前記要求を送信するための手段を有することを特徴とする請求項３２に記載の装置。